(57)【要約】【課題】装着が容易で製造が安価な熱音響保護構造体を提供すること。【解決手段】本出願は、回転機械のための熱音響保護構造体を提供する。熱音響保護構造体は、上側壁とこれに平行な下側壁とを含み、これらの間に少なくとも１つの音響吸収材料が配置される。上側壁及び下側壁は、拡張形態の少なくとも１つの接続要素で接続されている。接続要素は、横断面において２つの壁に対して非垂直の少なくとも１つの湾曲又は直線部分を示す。上側壁と下側壁との間の接続要素の長さは、上側壁と下側壁との間の距離よりも大きい。接続要素は更に、横断面において少なくとも１つの縁部を示す。【選択図】      図１
2016081058.tif 000002
【特許請求の範囲】
【請求項１】
回転機械用の熱音響保護構造体（１０）であって、
上側壁（１）及びこれに平行な下側壁（２）と、
前記上側壁と前記下側壁との間にある少なくとも１つの音響吸収材料（３）と、
を備え、前記上側壁及び下側壁が、拡張形態の少なくとも１つの接続要素（４）で接続されており、該接続要素が、横断面において前記壁に対して非垂直の少なくとも１つの湾曲又は直線部分（４ａ，４ｂ）を示し、前記上側壁と前記下側壁との間の前記接続要素の長さが、前記上側壁と前記下側壁との間の距離（Ｄ）よりも大きく、前記接続要素が更に、横断面において少なくとも１つの縁部を示す、回転機械用の熱音響保護構造体（１０）。
【請求項２】
前記接続要素が、前記上側壁と前記接続要素を接続するための上側接触区域（６ａ）と、前記下側壁と前記接続要素を接続するための下側接触区域（６ｂ）と、複数の直線部又は湾曲部とを含む、前記直線部分が平行ではなく、縁部（５）にて互いに接合されている、請求項１に記載の構造体。
【請求項３】
前記接続要素が複数の直線部分を含み、前記上側壁と前記上側接触区域との間の角度（α１）が、±４°の公差で前記下側壁と前記下側接触区域との間の角度（α２）に等しく、各縁部における外角が、±４°の公差で、前記上側壁と前記上側接触区域との間の角度（α１）と前記下側壁と前記下側接触区域との間の角度（α２）の合計に等しい、請求項２に記載の構造体。
【請求項４】
前記上側接触区域と前記上側壁との間及び／又は前記下側接触区域と前記下側壁との間に配置される粘弾性材料のダンパー要素（７）を更に備える、請求項２に記載の構造体。
【請求項５】
前記上側接触区域と前記上側壁の縁部との間の表面が、前記上側壁表面の１０〜２０％であり、前記下側接触区域と前記下側壁の縁部との間の表面が、前記下側壁表面の１０〜２０％である、請求項２に記載の構造体。
【請求項６】
横断面において、前記下側接触区域の長さは、前記接続要素の全長の１０％よりも大きく、前記上側接触区域の長さは、前記接続要素の全長の１０％よりも大きい、請求項２に記載の構造体。
【請求項７】
前記音響吸収材料が、メラミン、ロックウール、ガラス、発泡体、及び／又はボールを含む、請求項１に記載の構造体。
【請求項８】
前記音響吸収材料の厚さが、前記下側壁と前記上側壁との間の距離の少なくとも５０％に等しい、請求項１に記載の構造体。
【請求項９】
前記下側壁及び／又は前記上側壁への前記接続要素の固定が、溶接により実施される、請求項１に記載の構造体。
【請求項１０】
前記下側壁及び／又は前記上側壁への前記接続要素の固定が、脱着可能な締結具により実施される、請求項１に記載の構造体。
【発明の詳細な説明】
【技術分野】
【０００１】
本発明は、回転機械のための熱音響保護構造体を提供し、より詳細には、吸音材料が内部に配置された構造体を提供する。具体的には、本発明は、ガスタービン又はオルタネータのような回転機械及びその装備機器に対する熱音響保護の分野に関する。
【背景技術】
【０００２】
回転機械及びその装備機器により発生するノイズは、１３０ｄＢ（Ａ）（Ａ特性重み付けデシベル）〜１６０ｄＢ（Ａ）に達する可能性のある高い音響パワーレベルを有する場合があり、隣接する機器に広がる可能性がある。例えば、ガスタービンの保護エンクロージャ、空気入口ダクト、又は空気出口ダクトは、音響波が拡散するには好都合な経路となる場合がある。
【０００３】
従って、機器により放射されるノイズの低減は、適切な構造体のパネルを使用することによって可能である。一般に、パネルの構造は、１つが外部シートでもう１つが内部シートの少なくとも２つの壁を有することができ、２つのシートの間に遮音材料の少なくとも１つの層が配置され、また、パネル間に補強材又は結合要素を有し、弾性緩衝法により構造体を通過する振動の伝播を消散させることができる。
【０００４】
パネル構造体における音響減少は、以下の３つのタイプに分類することができる。
・反射：音響波の一部が機器の内部部品に送られるもの
・吸収：壁及び壁間に配置された材料（又は空気）における波からのエネルギーの消散
・伝播：機器の外部に向けた構造体全体の振動によるエネルギーの放射
欧州特許ＥＰ第１６５７３７４号公報において記載されるように、音響パネルは金属製である。パネル設計は、「音響低減をもたらす主要因は質量である」という理論に基づいている。これは、「質量が大きくなるほど、より多くのノイズを低減することができる」という重要な要因に基づいている。従って、金属シートを含む音響パネルは、質量効果によるノイズ低減をもたらすことができる。多孔質材料もまた、粘性及び摩擦作用により低減を提供することができる。緩衝器は、これらの要素が通常、ゴムなどの弾性又は可撓性材料から構成されるので、外壁と内壁との間の振動及び音響エネルギーを消散させる。
【０００５】
欧州特許第２  ０１７８２６号公報及びフランス国特許第２３５６８２０号公報によるパネル構造体における音響波の吸収は、特にガスタービン圧縮機に近接した空気入口での用途としてヘルムホルツ共鳴器によって実施することができる。更に、米国特許第４，０８４，３６７号明細書において提案されているように、ヘルムホルツ共鳴器は、２５０〜２０００Ｈｚの周波の音響吸収に用いることができる。フランス国特許第２３５６８２０号公報において、様々な容積又は長さの共鳴器チャンバにより、広範囲の周波数にわたるノイズ抑制が確保される。
【０００６】
振動の減衰に関する限り、米国特許第５，９０７，９３２号明細書は、２つのシートパネル及び１つの減衰要素の間の２つの水平接続部が構造体を横断する振動を吸収することを提案している。米国特許第７，４６７，６８７号では、接続要素の両側で接続要素と各シートとの間の接合部に配置された２つの弾性要素を使用することを提案している。振動減衰要素は通常、ゴム又は弾性材料から作られる。従って、音響吸収は、吸収材料又は共鳴器の何れかにより実施される。構造体を通る音響伝播現象の低減は、通常は弾性材料の要素を備えた振動ダンパーにより実現される。
【０００７】
遮音材料の通過を含む、構造壁を通過するノイズの伝播及び拡散により、固体振動による構造体の共鳴モードが励起され、従って、外部壁の表面によるノイズ放射が生じる可能性がある。この現象は、構造体とパネルを接続する要素全てにおいて振動ダンパー点を増加させることで低減することができる。この増加は、構造体の要素数が増大する傾向となり、パネルの組立時間が長くなる可能性がある。
【０００８】
実際に、保守整備作業中に、場合によっては機器の周りの音響構造体の取り外し及び再組立を実施する必要があるが、結果として生じる音響性能が当初提供されていたものと同等となる保障はない。特に、振動が除去される弾性ダンパー要素は、回転機械の運転の際の高温及び振動レベル特性に起因して経年劣化する可能性がある。
【先行技術文献】
【特許文献】
【０００９】
【特許文献１】欧州特許第１６５７３７４号公報
【特許文献２】欧州特許第２  ０１７８２６号公報
【特許文献３】フランス国特許第２３５６８２０号公報
【特許文献４】米国特許第４，０８４，３６７号明細書
【特許文献４】米国特許第５，９０７，９３２号明細書
【発明の概要】
【００１０】
本発明は、これらの欠点を解消することを目的としている。詳細には、本発明は、回転機械用の熱音響保護構造を提案する。熱音響保護構造は、音響波の除去又は低減を確保しながら音響伝播現象を低減するために、弾性振動減衰要素を不要にするか、又はこれに付加する形で提供することができる。本発明の別の目的は、装着が容易で製造が安価な構造体を提供することである。従って、本発明は、回転機械用の熱音響保護構造を目的とする。
【００１１】
本発明による構造体は、上側壁とこれに平行な下側壁とを含み、これらの間に少なくとも１つの音響吸収材料が配置される。上側壁及び下側壁は、拡張形態の少なくとも１つの接続要素で接続されている。接続要素は、横断面において２つの壁に対して非垂直の少なくとも１つの湾曲又は直線部分を示す。上側壁と下側壁との間の接続要素の長さは、上側壁と下側壁との間の距離よりも大きい。接続要素は更に、横断面において少なくとも１つの縁部を示す。
【００１２】
従って、壁間が通常のものと比べて１又は複数の偏位部を示す接続要素の幾何形状は、接続要素の横断長さが増大することを意味する。この増大により、パネルの妨害を低く維持しながら、接続要素の長さを増大させることによって適正モードの低い周波数での除去が可能となる。この幾何形状において、接続要素の音響波の低減は、部品の幅に沿っていることが好ましい。従って、２５０Ｈｚ〜２０００Ｈｚの共鳴の大きさが低減され、これによりこれらの周波数での音響伝播が低減される。
【００１３】
本発明における縁部とは、直線か曲線かに関わらず２つの非平行の隣接部分間の接合部を意味すると理解される。接続要素は、上側壁と接続要素を接続するための上側接触区域と、下側壁と接続要素を接続するための下側接触区域と、複数の直線部分又は湾曲部分とを含むことができ、隣接する部分が非平行で縁部にて互いに接合されている。従って、異なる部分の長さの合計は、上側壁と下側壁との間の距離（Ｄ）よりも大きい。接続要素は、上側接触区域及び／又は下側接触区域を含むことができ、すなわち、接続要素の端部にて接触域がない。直線部分は、同じ長さ又は異なる長さとすることができる。
【００１４】
縁部は、有利には、特に単一部品の折り曲げにより得られ、これにより構造体の組立手順が簡素化され安価になる。構造体の組立方法を簡素化するために、接続要素は、有利には、複数の直線部分を含むことができる。上側壁と上側接触区域との間の角度は、±４°の公差で下側壁と下側接触区域との間の角度に等しく、各縁部における外角が、±４°の公差で、上側壁と上側接触区域との間の角度と下側壁と下側接触区域との間の角度の合計に等しい。
【００１５】
構造体は、上側接触区域と上側壁との間及び／又は下側接触区域と下側壁との間に配置されるある種の粘弾性材料のダンパー要素を含むことができる。上側接触区域と上側壁の縁部との間の表面は、上側壁面積の１０〜２０％とすることができ、下側接触区域と下側壁の縁部との間の表面は、下側壁面積の１０〜２０％とすることができる。
【００１６】
横断面において、下側接触区域の長さは、好ましくは接続要素の全長の１０％よりも大きく、上側接触区域の長さは、好ましくは接続要素の全長の１０％よりも大きい。音響吸収材料は、メラミン、ロックウール、ガラス、発泡体、及び／又はボールを含むことができる。音響吸収材料の厚さは、有利には、下側壁と上側壁との間の距離の少なくとも５０％に等しい。下側壁及び／又は上側壁への接続要素の固定は、溶接により実施することができる。下側壁及び／又は上側壁への接続要素の固定は、脱着可能な締結具とすることができる。
【００１７】
本発明の他の特徴及び利点は、添付図面を参照しながら例証及び非限定的な実施例として提供される以下の説明を読むことによって明らかにされる。
【図面の簡単な説明】
【００１８】
【図１】第１の実施モードに従った、本発明による回転機械用の熱音響保護構造体の横断面図。
【図２】図１の接続要素の斜視図。
【図３】第２の実施モードに従った、本発明による回転機械用の熱音響保護構造体の横断面図。
【図４】第３の実施モードに従った、本発明による回転機械用の熱音響保護構造体の横断面図。
【図５】第４の実施モードに従った、本発明による回転機械用の熱音響保護構造体の横断面図。
【図６】図５の接続要素の斜視図。
【図７】第５の実施モードに従った、本発明による回転機械用の熱音響保護構造体の横断面図。
【図８】熱音響保護構造体の異なる実施可能な幾何形状の上面図。
【発明を実施するための形態】
【００１９】
図１に示すように、本発明による回転機械のための熱音響構造は、少なくとも１つのパネル１０を含むことができる。各パネル１０は、上側壁１（外部構造又は柵材料のシートとも呼ばれる）及び下側壁２（内部シートとも呼ばれる）を含むことができ、下側壁２は一般に有孔シートである。外部シート１と内部シート２との間には、音響吸収材料３の１又は複数の層が配置され、通常は上側壁１と下側壁２との間に少なくとも５０％の空間が介在する。各パネル１０では、少なくとも１つの接続要素４が外部シート１と内部シート２とを接続している。例証として、図１では、各パネル１０に対して２つの接続要素４が使用されている。
【００２０】
本発明による構造において、接続要素４は、横断面において、壁１，２に完全に垂直には固定されず（すなわち、接続要素４は、壁１，２に垂直でない少なくとも１つの部分４ａ，４ｂを含むことができる）、その結果、横断面において、上側壁１と下側壁２との間の接続要素４の長さは、上側壁１と下側壁２との間の距離Ｄよりも大きくなる場合がある。図１の第１の実施モードによれば、接続要素４は、整列していない２つの直線部分４ａ，４ｂを示す単一の縁部（すなわち、折り畳み又は折り畳み構造）を有している。縁部５は、必須ではないが、接続要素４の長手方向に対称のレベルで配置することができる。すなわち、２つの直線部分４ａ，４ｂは等しい長さとすることができる。
【００２１】
非垂直部分４ａ，４ｂの結果、上側壁１と下側壁２との間の接続要素４の長さは、上側壁１と下側壁２との間の距離Ｄよりも大きいとすることができ、これにより妨害を制限しながら、特定の周波数レンジにおける音響伝播現象を低減することができる。
【００２２】
接続要素４はまた、その端部において上側壁１と接続要素４を接続するための上側接触区域６ａと、ひいては下側壁２と接続要素４を接続するための下側接触区域６ｂとを含むことができる。ある種の粘弾性材料又はその他のダンパー要素７を上側接触区域６ａと上側壁１の間及び／又は下側接触区域６ｂと下側壁２との間に挿入してもよい（図３）。
【００２３】
上側部分４ａと上側壁１との間の鋭角はα１である。下側部分４ｂと下側壁２との間の鋭角はα２である。α１はα２と等しい（図１）とことができ、公差は４度である。また、α１はα２±４°と異なる（図３）ことができる。２つの部分４ａ及び４ｂ間の外周角はβ１であり、α１とα２の合計に等しいとすることができ、公差は同様に４°である。従って、少なくとも２つの接続要素４は、２つの平行壁１，２と構造体の組立を可能にする。更に、各接触域６ａ，６ｂは、接続要素４の全表面の少なくとも１０％を占める。各接触域６ａ，６ｂは、場合によってはダンパー要素７と共に溶接又は脱着可能締結具により壁１，２に固定することができる。
【００２４】
図２は、図１の接続要素４を斜視図で示している。図４は、図１〜３の一般的実施モードを示す。接続要素４は、各折り部５にて曲線半径部と、折り曲げ部５間の直線部分とを有して折り曲げることができることを示している。
【００２５】
直線状セグメントの長さ「ｈ」が０に向かっている場合、曲線輪郭が見られるようになり（円の円弧、正弦波輪郭、又は別のタイプの形態から構成される）、この場合、同じ角度定義により、パネル１０の上側壁１と下側壁２との間に平行関係をもたらすことができる。
【００２６】
第４の実施モードによれば、図５に示すように、各接続要素４は、３つの直線部分４ａ，４ｂ，４ｃを示す２つの縁部５ａ，５ｂを含むことができる。縁部５ａ，５ｂは、好ましくは、それぞれの接触域６ａ，６ｂから等距離にある。従って、３つの部分４ａ，４ｂ，４ｃは、横断面で実質的に等しい長さのものである。
【００２７】
第１の実施モードと同様に、接続要素４はまた、その端部において上側壁１と接続要素４を接続するための上側接触区域６ａと、ひいては下側壁２と接続要素４を接続するための下側接触区域６ｂとを含むことができる。
【００２８】
図６は、図５の接続要素４を斜視図で示している。本発明のパネル１０の構造体は、Ｎ個の長手方向縁部とＮ＋１個の直線部分とを有する接続要素４の一般形態とすることができる。２つの隣接する縁部間の距離は、接続要素４全体接続要素４全体で同じであるのが好ましい。
【００２９】
折り曲げ後、角度α１，α２は９０°より小さく、以下の比を示すのが有利である。
Ｎ＝１の場合、βＮ＝α１＋α２（±４°）
Ｎ＞１の場合、β１＝．．．＝βＮ＝α１＋α２（±４°）
これらの角度は、異なっていてもよいが、上記の比によって、より優れた製造の簡素化が確保される。
【００３０】
図７は、パネル１０の角度が異なっている実施モードを示している。
【００３１】
図７の配向角は、次式で定義される。
【００３２】
【数１】
2016081058.tif 000003
【００３３】
ここで、Ｎは折り曲げ数、α２＝γＮである。
【００３４】
従って、角度α２は、次式で定義される。
【００３５】
【数２】
2016081058.tif 000004
【００３６】
上記の式１は、次式の通り、式２が妥当であることを証明している。
【００３７】
【数３】
2016081058.tif 000005
【００３８】
接続要素の折り曲げは標準的な工具を用いて行うことができるので、本発明の利点として、実施構成が簡単であることが挙げられる。更に、ダンパーが存在しないことにより、各動作に必要な部品数が低減されると共に、組立及び取り外しが容易になる。更に、接続要素の固定は、標準的な方法、すなわち、溶接、脱着可能ファスナー（例えば、スクリュー及びナットを用いた）又はリベットもしくはクランプにより実施することができる。接続要素４と上側壁１との間の接続は、好ましくは、脱着可能組立体によって確立され、脱着可能な固定は、音響吸収材料３と上側壁１との間に残されたスペースにより実施可能である。
【００３９】
本発明による構造体の組立方法は、以下のステップを含むことができる。
−少なくとも１つの接続要素４を第１の壁（例えば、下側壁２）の表面に配置する。
−２つの壁１，２間のスペースの全部又は一部を接続要素４及び／又はシート２の縁部間で吸収材料（例えば、ロックウール又はガラスもしくはその他）の１又は複数の層で充填する。
−上側壁１を配置して、上側壁１の表面に接続部品４を脱着可能な組立により固定する（変形の実施形態では、上側壁１の配置は、２つの壁１，２間での音響吸収材料３による充填前に実施することができる）。
−構造体パネル１０の組立により、タービン又はオルタネータなどの回転機械の周りに熱音響保護を提供する。
【００４０】
更に、上側壁及び下側壁は、図示していない接続手段を含むことができる。更に、回転機械の周りに熱音響保護構造の組立を容易にするために、壁は、機械の幾何形状に良好に適合することができる様々な形態を有することができる。例えば、一部の構造体は、図８に示すような３つの縁部又はそれ以上の縁部を含むことができる。従って、構造体は、三角形（実施モードａ）、矩形（実施モードｂ）、五角形（実施モードｃ）、又は六角形（実施モードｄ）とすることができる。構造共鳴現象を制限するために、接続要素４は、好ましくは、接触面６ａ及び６ｂのうちの少なくとも１つで壁の縁部に近接した少なくとも１つの表面上に固定される。
【００４１】
折り曲げ角を修正することにより、妨害を調整することができる。使用される材料は、ガスタービンの分野において標準的なものである。最後に、接続要素４の厚さは、好ましくは、１ｍｍ（又は０．５ｍｍでも）〜６ｍｍである。
【００４２】
上記のことは、本出願及びその結果として得られる特許の特定の実施形態にのみに関連している点を理解されたい。添付の請求項及びその均等物によって定義される本発明の全体的な技術的思想及び範囲から逸脱することなく、当業者であれば多くの変更及び修正を本明細書において行うことができる。
【符号の説明】
【００４３】
１  上側壁（外部シート）
２  下側壁（内部シート）
３  音響吸収材料
４  接続要素
５  縁部
６ａ  上側接触区域
６ｂ  下側接触区域
１０  パネル
【図１】
2016081058.tif 000006
【図２】
2016081058.tif 000007
【図３】
2016081058.tif 000008
【図４】
2016081058.tif 000009
【図５】
2016081058.tif 000010
【図６】
2016081058.tif 000011
【図７】
2016081058.tif 000012
【図８】
2016081058.tif 000013
【外国語明細書】
2016081058000001.pdf